(57)【要約】【課題】特別な駆動力を用いることなく、塵埃等の異物を除去できる記録装置、及び、記録装置における異物除去機構を提供する。【解決手段】ドットインパクトプリンター１は、記録媒体の搬送路に面して設けられた走査路７内を移動する磁気ヘッド３４を備えたキャリッジ６０と、走査路７に開閉可能に取り付けられ、走査路７への記録媒体Ｓの進入を防ぐとともにキャリッジ６０が移動する際には開かれる可動紙案内８とを備え、可動紙案内８に、磁気ヘッドガイド軸７０等の他の部材に接して異物を除去するブラシ８７が設けられている。【選択図】図８
2013141786.tif 000002
【特許請求の範囲】
【請求項１】
記録媒体の搬送路に面して設けられた開口内を移動する処理手段を備えたキャリッジと、
前記開口に開閉可能に取り付けられ、前記開口への前記記録媒体の進入を防ぐとともに前記キャリッジが移動する際には開かれる可動部材と、を備え、
前記可動部材に、他の部材に接して異物を除去する異物除去手段が設けられたこと、
を特徴とする記録装置。
【請求項２】
前記開口は前記搬送路の底面を構成し、
前記記録装置の設置状態において前記開口の下方には、前記キャリッジと摺動して前記キャリッジの移動を案内するガイド軸が設けられ、
前記可動部材を開く際に、前記可動部材に設けられた前記異物除去手段が前記ガイド軸に接することを特徴とする請求項１記載の記録装置。
【請求項３】
前記可動部材は、前記開口の長手方向に沿って設けられた軸を中心として回動可能であり、前記異物除去手段は前記軸から離れた位置に立設されたことを特徴とする請求項１または２記載の記録装置。
【請求項４】
前記キャリッジは、前記開口内を前記キャリッジが移動する間に前記異物除去手段に当接する突出部を備えたことを特徴とする請求項１から３のいずれかに記載の記録装置。
【請求項５】
前記処理手段は、前記記録媒体に対する情報の記録を行う記録手段であることを特徴とする請求項１から４のいずれかに記載の記録装置。
【請求項６】
記録媒体の搬送路に面して設けられた開口内を移動する処理手段を備えたキャリッジと、
前記開口に開閉可能に取り付けられ、前記開口への前記記録媒体の進入を防ぐとともに前記キャリッジが移動する際には開かれる可動部材と、を備えた記録装置に設けられ、
前記可動部材に、他の部材に接して異物を除去する異物除去手段を設けて構成されたこと、
を特徴とする記録装置における異物除去機構。
【発明の詳細な説明】
【技術分野】
【０００１】
本発明は、記録装置、及び、記録装置における異物除去機構に関する。
【背景技術】
【０００２】
従来、記録媒体に記録を行う記録装置において、紙粉などの異物が駆動部に蓄積しないようにする機構を備えたものが知られている（例えば、特許文献１参照）。特許文献１記載の記録装置は、記録ヘッドを搭載したキャリッジのキャリッジ軸に付着した塵埃を除去する手段を備えている。この手段は、キャリッジ軸に直交する方向にスイングして、キャリッジ軸に付着した塵埃を掻き落とす。
【先行技術文献】
【特許文献】
【０００３】
【特許文献１】特開２００５−１９３５２１号公報
【発明の概要】
【発明が解決しようとする課題】
【０００４】
ところで、記録媒体として主に紙を使用する場合、紙粉等の塵埃が、上述したキャリッジ軸以外だけでなく記録装置の各部に蓄積しやすい。このため、様々な箇所に適用可能で、特別な駆動力を用いることなく塵埃を除去する方法が求められていた。
本発明は、上述した事情に鑑みてなされたものであり、特別な駆動力を用いることなく、塵埃等の異物を除去できる記録装置、及び、記録装置における異物除去機構を提供することを目的とする。
【課題を解決するための手段】
【０００５】
上記目的を達成するために、本発明は、記録媒体の搬送路に面して設けられた開口内を移動する処理手段を備えたキャリッジと、前記開口に開閉可能に取り付けられ、前記開口への前記記録媒体の進入を防ぐとともに前記キャリッジが移動する際には開かれる可動部材と、を備え、前記可動部材に、他の部材に接して異物を除去する異物除去手段が設けられたこと、を特徴とする。
本発明によれば、開口に設けられた可動部材を開閉する動作により、異物除去手段が他の部材に接して異物を除去できるので、特別な動力源を新たに追加することなく、可動部材の近傍にある部材に付着した塵埃等の異物を除去できる。
【０００６】
また、本発明は、上記記録装置において、前記開口は前記搬送路の底面を構成し、前記記録装置の設置状態において前記開口の下方には、前記キャリッジと摺動して前記キャリッジの移動を案内するガイド軸が設けられ、前記可動部材を開く際に、前記可動部材に設けられた前記異物除去手段が前記ガイド軸に接することを特徴とする。
本発明によれば、特別な動力源を新たに追加することなく、可動部材を開閉するだけで、キャリッジが移動する開口の下方に位置するキャリッジのガイド軸に付着する塵埃を除去できる。
【０００７】
また、本発明は、上記記録装置において、前記可動部材は、前記開口の長手方向に沿って設けられた軸を中心として回動可能であり、前記異物除去手段は前記軸から離れた位置に立設されたことを特徴とする。
本発明によれば、可動部材に、開口の長手方向に沿って異物除去手段を設けることができ、効率よく異物を除去できる。また、可動部材が開閉される際に異物除去手段が大きく動くので、可動部材から比較的離れている部材にも異物除去手段を接触させることができる。
【０００８】
また、本発明は、上記記録装置において、前記キャリッジは、前記開口内を前記キャリッジが移動する間に前記異物除去手段に当接する突出部を備えたことを特徴とする。
本発明によれば、キャリッジが移動することによって、異物除去手段に付着した塵埃を除去できるので、異物除去手段に塵埃が蓄積することを防止できる。
【０００９】
また、本発明は、上記記録装置において、前記処理手段は、前記記録媒体に対する情報の記録を行う記録手段であることを特徴とする。
本発明によれば、記録手段を搭載したキャリッジを移動させる毎に、可動部材に設けられた異物除去手段によって異物が除去されるので、高頻度で異物を除去できる。
【００１０】
また、上記目的を達成するために、本発明は、記録媒体の搬送路に面して設けられた開口内を移動する処理手段を備えたキャリッジと、前記開口に開閉可能に取り付けられ、前記開口への前記記録媒体の進入を防ぐとともに前記キャリッジが移動する際には開かれる可動部材と、を備えた記録装置に設けられ、前記可動部材に、他の部材に接して異物を除去する異物除去手段を設けて構成されたこと、を特徴とする。
本発明によれば、開口に設けられた可動部材を開閉する動作により、異物除去手段が他の部材に接して異物を除去できるので、特別な動力源を新たに追加することなく、可動部材の近傍にある部材に付着した塵埃等の異物を除去できる。
【発明の効果】
【００１１】
本発明によれば、キャリッジが移動する開口に設けられた可動部材を開閉する動作により、可動部材の近傍にある部材に付着した塵埃等の異物を除去できる。
【図面の簡単な説明】
【００１２】
【図１】実施の形態におけるドットインパクトプリンターの外観斜視図である。
【図２】プリンター本体を示す斜視図である。
【図３】磁気ヘッドユニットの構成及び動作を示す要部斜視図である。
【図４】可動紙案内の斜視図である。
【図５】可動紙案内の動作を示す要部断面視図である。
【図６】可動紙案内の動作を示す要部断面視図である。
【図７】可動紙案内の動作を示す要部断面視図である。
【図８】磁気ヘッドユニット及び可動紙案内の構成を示す要部斜視図である。
【発明を実施するための形態】
【００１３】
以下、本発明の実施形態について図面を参照して説明する。
図１は、本実施形態に係る記録装置としてのドットインパクトプリンターの外観を示す正面斜視図である。図２は、プリンター本体１１を示す外観斜視図である。
図１に示す記録装置としてのドットインパクトプリンター１は、前面に設けられた手差口１５に挿入される記録媒体Ｓに対し、記録ヘッド１８（図２参照）によって文字や画像を記録するものである。
ドットインパクトプリンター１で使用可能な記録媒体Ｓとしては、所定長さに切断されたカットシートと、複数枚が連接された連続紙とがある。カットシートとしては、例えば単票紙や単票複写紙などの普通紙の他、通帳や葉書、封筒などがあり、連続紙としては、連続複写紙を含んでいる。本実施形態では、図１に示すように、複数枚の記録用紙が綴じられた冊子形態の通帳を記録媒体Ｓとして用いる場合を例に挙げて説明する。この通帳は、背面の後端側に磁気ストライプＭＳが設けられている。通帳の背面とは、通帳の文字記録面を上に向けた場合に下を向く面である。磁気ストライプＭＳは各種の情報を磁気的に記録し、読み取ることが可能な記録媒体である。
ドットインパクトプリンター１は、手差口１５に挿入された記録媒体Ｓの上の面に、記録ヘッド１８によって文字や画像を記録する一方、記録媒体Ｓの下の面に配置された磁気ストライプＭＳに対し、磁気ヘッド３４（図２）によって情報の磁気的な記録、読取、書き換え等の処理を行う。記録ヘッド１８及び磁気ヘッド３４は記録手段として機能する。
なお、以下の説明において、記録媒体Ｓの４辺のうち、手差口１５に差し込まれる側の辺を記録媒体Ｓの先端とし、この先端と対向する側の辺を後端とする。
【００１４】
ドットインパクトプリンター１は、図１に示すように、外装体としての上部カバー１２、上部ケース１３及び下部ケース１４を備えており、上部ケース１３及び下部ケース１４の前面には、記録媒体Ｓを挿入あるいは排出する手差口１５が開口している。手差口１５からはシート載せ台１５Ａが張り出し、このシート載せ台１５Ａに記録媒体Ｓを載せて手差口１５に挿入できる。
【００１５】
ドットインパクトプリンター１は、外装体としての上部カバー１２、上部ケース１３及び下部ケース１４に覆われるプリンター本体１１を有している。
プリンター本体１１は、図２に示すように、下本体部１１Ａと、この下本体部１１Ａの後端部に軸１１Ｃで支持される上本体部１１Ｂとを備え、下本体部１１Ａは、上部ケース１３及び下部ケース１４（図１）に収納されると共に、上本体部１１Ｂは、上部カバー１２（図１）に固定されている。上部カバー１２を開くと、上本体部１１Ｂが軸１１Ｃを中心に回動して、プリンター本体１１内部が露出する。
【００１６】
プリンター本体１１は、プリンター本体１１の下部に位置するベースフレーム（図示略）と、このベースフレームの左右両端部に立設された一対の右サイドフレーム１７Ａ及び左サイドフレーム１７Ｂと、プリンター本体１１の前部において左右で対をなして配設された前部サイドフレーム１７Ｄ、１７Ｅとを備えた本体フレームを有し、この本体フレームに各部が取り付けられる。
【００１７】
上本体部１１Ｂは、右サイドフレーム１７Ａ及び左サイドフレーム１７Ｂの間に掛け渡されたキャリッジガイド軸（図示略）、このキャリッジガイド軸に沿って移動するキャリッジ１９、キャリッジ１９に搭載された記録ヘッド１８を備えている。記録ヘッド１８は、下本体部１１Ａの両サイドフレーム１７Ａ、１７Ｂ間に固定された平面形状のプラテン２１に対向する。キャリッジ１９は、キャリッジ駆動モーター（図示略）の正転動作及び逆転動作によって、キャリッジガイド軸に沿って、図中Ｘで示す方向に往復走行（走査）される。記録ヘッド１８には、上本体部１１Ｂに固定されたリボンカートリッジ３９から繰り出されるインクリボン（図示略）が供給される。記録ヘッド１８は、キャリッジ１９と共に主走査方向に走行される間に、記録ワイヤーを突出させてインクリボンに打ち当て、インクリボンのインクを、プラテン２１と記録ヘッド１８との間に搬送される記録媒体Ｓに付着させて、記録媒体Ｓに文字や画像を記録する。
【００１８】
プラテン２１は、キャリッジ１９の走行方向に延在する平面を有し、ばね等の付勢手段によって、記録ヘッド１８に向けて付勢されるとともに弾性支持され、記録ヘッド１８の記録ワイヤーの突出力を支持する構成となっている。また、プラテン２１が弾性支持されていることで、記録媒体Ｓの厚さにかかわらず、記録ヘッド１８の先端と記録媒体Ｓの記録面との間のギャップが一定に確保される。
【００１９】
プリンター本体１１は、記録媒体Ｓを搬送するシート搬送機構として、シート搬送モーター２６、シート搬送モーター２６の駆動力を伝達する駆動輪列部２７、駆動輪列部２７により駆動される第１駆動ローラー２２Ａ及び第２駆動ローラー２３、第１駆動ローラー２２Ａ及び第２駆動ローラー２３の回転に追従して回転する各種従動ローラー（図示略）を備えている。第１駆動ローラー２２Ａはドットインパクトプリンター１の前部に配置され、第２駆動ローラー２３はドットインパクトプリンター１の後部に配置され、それぞれ、従動ローラーとともに記録媒体Ｓを上下から挟んで搬送する。
【００２０】
駆動輪列部２７は、右サイドフレーム１７Ａの外側に配置され、シート搬送モーター２６の駆動軸に回転一体に固定されたモーターピニオン５１と、モーターピニオン５１の駆動力を減速する減速ギア５２及び中間ギア５４と、中間ギア５４の駆動力を第１駆動ローラー２２Ａの駆動軸に伝達する第１駆動ギア５３Ａと、減速ギア５２の駆動力を第２駆動ローラー２３の駆動軸に伝達する第２駆動ギア５３Ｂと、を備えて構成される。
【００２１】
また、上本体部１１Ｂの前部には、右サイドフレーム１７Ａ及び左サイドフレーム１７Ｂの間に前方シート案内２４が配置されている。前方シート案内２４は、記録媒体Ｓの搬送路の下面（底面）を構成する。この前方シート案内２４の平面には、第１駆動ローラー２２Ａを下方から露出させる開口が設けられる。また、前方シート案内２４には、磁気ヘッド３４が移動する走査路７（開口部）が形成されている。走査路７は、記録媒体Ｓの帆走方向に対して直交する方向（図中符号Ｘ）に延びる孔であり、走査路７には開閉可能な可動紙案内８（可動部材）が配設されている。可動紙案内８は、走査路７の下側に配置された板状の部材である。可動紙案内８は、記録媒体Ｓの搬送時には走査路７の下から前方シート案内２４上まで進出して当該走査路７を覆い、記録媒体Ｓが走査路７の内部に入り込まないようにする。また、可動紙案内８は、磁気ヘッド３４が磁気ストライプＭＳに対して磁気情報の読み書きをする時には、搬送経路から退避して走査路７を開放する。
【００２２】
図３は、磁気ヘッド３４を備える磁気ヘッドユニット６の構成及び動作を示す要部斜視図である。
磁気ヘッドユニット６は、上述した磁気ヘッド３４を、キャリッジ６０に搭載して構成され、キャリッジ６０には、磁気ヘッド３４に電流を供給するとともに磁気ヘッド３４が検出した信号を出力するためのフレキシブルケーブルが接続されている。
図３に示すように、プリンター本体１１の前部サイドフレーム１７Ｄ、１７Ｅ間には、２本の磁気ヘッドガイド軸７０、７１が平行に掛け渡されている。磁気ヘッドユニット６は、磁気ヘッドガイド軸７０、７１に取り付けられ、磁気ヘッドガイド軸７０、７１に沿って図中符号Ｘで示す方向に往復移動（走査）される。キャリッジ６０は、磁気ヘッド３４を搭載した台座形状の部材であり、磁気ヘッドガイド軸７０（ガイド軸）に摺動する摺動部６２、及び、磁気ヘッドガイド軸７１が挿通される孔を有する軸受部６３を備えている。磁気ヘッドユニット６を往復移動させる際に、磁気ヘッドガイド軸７０と摺動部６２、及び、磁気ヘッドガイド軸７１と軸受部６３が、それぞれ摺動する。
【００２３】
前部サイドフレーム１７Ｄには、磁気ヘッドユニット６を移動させる駆動モーター７４が固定され、駆動モーター７４の駆動力により磁気ヘッド駆動ベルト７３が正方向または逆方向に回転する。キャリッジ６０は磁気ヘッド駆動ベルト７３に固定されており、この磁気ヘッド駆動ベルト７３の回転によって、図中Ｘ方向に往復移動する。
これにより、記録媒体Ｓ（図１）の背面に設けられた磁気ストライプＭＳ（図１）に対し、磁気ヘッド３４によって磁気的な情報の読取、書き込み等の各種処理を行うことができる。また、ドットインパクトプリンター１において、記録媒体Ｓの搬送路上には、上流側に磁気ヘッドユニット６が配置され、下流側に記録ヘッド１８が配置されている。記録媒体Ｓは、磁気ヘッドユニット６により磁気ストライプＭＳへの処理が行われた後、ドットインパクトプリンター１の奥に搬送され、記録ヘッド１８による記録等が行われる。
図３に示す位置ＨＰは、磁気ヘッドユニット６のホームポジションとして規定された位置である。磁気ヘッド３４による磁気ストライプＭＳへの処理を行っていない間、磁気ヘッドユニット６は、図３に示すホームポジションＨＰに位置する。また、磁気ヘッド３４により磁気ストライプＭＳへの処理を行う場合、磁気ヘッドユニット６は、図中符号Ｄ１で示す範囲を走査され、ホームポジションＨＰに戻る。範囲Ｄ１は、ドットインパクトプリンター１で使用可能な最大の記録媒体Ｓに対し、磁気ストライプＭＳ全体を磁気ヘッド３４が走査できる範囲である。
【００２４】
図４は、可動紙案内８の斜視図である。
可動紙案内８は長手形状を有する略平板形状の部材であり、走査路７を塞ぐに十分なサイズの平板部８０を有する。平板部８０の両端部には複数の爪部８１が一体に設けられている。可動紙案内８は記録媒体Ｓの搬送方向に直交する方向に延びる長手形状の部材であり、長手形状に直交する方向、すなわち記録媒体Ｓの搬送方向に沿って、爪部８１が平板部８０の両端から突出するように設けられる。
これらの爪部８１は、可動紙案内８が走査路７を覆う場合に前方シート案内２４上に露出して、搬送経路に進出する。可動紙案内８が走査路７を覆う場合、平板部８０は前方シート案内２４の平面よりも上に突出する。爪部８１には平板部８０に繋がる斜面が形成され、斜面の先端は前方シート案内２４の下に隠れたままとなる。このため、可動紙案内８が走査路７を塞いだ状態で、記録媒体Ｓが可動紙案内８の位置まで搬送されると、記録媒体Ｓは爪部８１の斜面に乗り上げて、紙ジャムを起こすことなくスムーズに案内される。
【００２５】
可動紙案内８には、爪部８１が形成された一方の端部に複数の嵌合部８３が形成されている。嵌合部８３は、図中破線で示す回動軸８２（軸）に嵌合して、可動紙案内８を回動軸８２に固定する。これにより、可動紙案内８は、回動軸８２の回動に伴って回動する。この場合の可動紙案内８の回動中心（回転中心）は、回動軸８２すなわち嵌合部８３である。
【００２６】
そして、嵌合部８３が形成された側とは反対側の端部には、ブラシ８７が設けられている。異物除去手段としてのブラシ８７は、合成繊維や天然繊維または獣毛等からなる毛を台座に植え付けて、可動紙案内８に固定したものである。ブラシ８７は、可動紙案内８が走査路７を塞ぐ際に前方シート案内２４の上に露出しないように、可動紙案内８の裏側（ドットインパクトプリンター１の設置状態において可動紙案内８の下側の面）に固定されており、爪部８１の裏側に位置している。ブラシ８７における毛の密度や植え方は任意である。
上記のように、可動紙案内８は、磁気ヘッド３４の使用時に走査路７を開放するため、回動軸８２を中心として回動する。このとき、可動紙案内８に設けられたブラシ８７は、可動紙案内８とともに下向きに回動し、可動紙案内８の近傍に設けられた部材に接触する。これにより、当該部材に紙粉等の異物が付着していれば、この異物をブラシ８７によって掻き落とすことができる。
【００２７】
ブラシ８７は、図４に示すように可動紙案内８の全長にわたって設けることが可能である。図２に示すように、磁気ヘッド３４は、待機状態では記録媒体Ｓが搬送される領域から外れたホームポジションＨＰに位置して、露出している。可動紙案内８は、ホームポジションＨＰにおける磁気ヘッド３４に隣接して、走査路７を塞ぐように配置されるため、可動紙案内８の長手方向における全体にブラシ８７を設けても、磁気ヘッドユニット６の走査の障害にはならない。
図３を参照して説明すると、磁気ヘッド３４は、待機状態では走査領域Ｄ１から外れたホームポジションＨＰに位置しているので、ブラシ８７は、ホームポジションＨＰを除く領域全体（符号Ｄ２）に設けることができる。ブラシ８７が長いほど、広範囲において、後述するように磁気ヘッドガイド軸７０に付着した異物を除去できる。また、少なくとも磁気ヘッド３４の走査範囲、すなわち磁気ヘッドユニット６の移動範囲である領域Ｄ１に相当する位置に、ブラシ８７が形成されていることが好ましい。領域Ｄ１では磁気ヘッド３４が磁気ストライプＭＳに接触するため、記録媒体Ｓから紙粉が落ちやすい。また、記録媒体Ｓの搬送に伴って可動紙案内８（走査路７）の縁に付着した紙粉が、磁気ヘッド３４の移動によって落ち、磁気ヘッドガイド軸７０や他の各部に付着することも考えられる。さらに、磁気ヘッド３４が磁気ストライプＭＳに接触することにより、粉末状となった磁性体の塵埃が発生する。このため、領域Ｄ１に対して、ブラシ８７による異物除去が行われることが好ましい。
【００２８】
また、可動紙案内８の長手方向の一端には、ストッパー８５が形成されている。ストッパー８５は、可動紙案内８の回動範囲を規制する突起であり、可動紙案内８が走査路７を開放するため回動して、限界位置に達すると、ストッパー８５が下部ケース１４または下部ケース１４に固定された他の部材に接して回動を止める。
【００２９】
図５〜図７の各図は、可動紙案内８の動作を示す要部断面視図であり、図５は可動紙案内８が走査路７を塞いだ状態を示し、図６は可動紙案内８の回動中の状態を示し、図７は可動紙案内８が走査路７を開放した状態を示す。
可動紙案内８は、図示しない紙案内駆動モーターの動作、或いは、シート搬送モーター２６の動作によって開閉される。この場合、ドットインパクトプリンター１は、上記紙案内駆動モーターまたはシート搬送モーター２６の駆動力を、回動軸８２に設けられた駆動ギア８６に伝達する伝達機構（図示略）を備える。
【００３０】
図５に示すように可動紙案内８が走査路７を塞ぐ位置にある状態では、可動紙案内８の平板部８０が前方シート案内２４の上にあり、記録媒体Ｓの搬送路を構成している。磁気ヘッドガイド軸７０は可動紙案内８のほぼ直下に位置し、磁気ヘッドガイド軸７１は、可動紙案内８よりも手差口１５に近い側に位置する紙案内の直下に位置している。キャリッジ６０は、磁気ヘッドガイド軸７０の下方で磁気ヘッド駆動ベルト７３に固定されており、この磁気ヘッド駆動ベルト７３の回転に伴って移動する。
このように、記録媒体Ｓの搬送路の下に位置する磁気ヘッドガイド軸７０、７１、磁気ヘッド駆動ベルト７３等の各部には、記録媒体Ｓから発生する紙粉などの異物が上から降りかかり、蓄積しやすい。特に磁気ヘッドガイド軸７０は、開口部である走査路７の直下に位置しているため、異物が蓄積しやすい。
【００３１】
図６に示すように、可動紙案内８は回動軸８２を中心として回動する。この可動紙案内８の回動に伴い、可動紙案内８の端部に設けられたブラシ８７が下方に弧を描いて移動する。ブラシ８７の軌跡は、可動紙案内８の幅方向のサイズや回動軸８２の位置によって異なるため適宜調整が可能である。例えば、ブラシ８７が、図６に示すように磁気ヘッドガイド軸７０に接する構成とすることができる。
この図６の例では、走査路７を開放するために可動紙案内８が回動すると、磁気ヘッドガイド軸７０に対し、上からブラシ８７が当接する。このまま可動紙案内８を会同させると、ブラシ８７が弾性変形して、磁気ヘッドガイド軸７０に接したまま下方に移動する。
可動紙案内８が回動を続けると、図７に示すように、可動紙案内８はほぼ直下を向く位置に達する。図７に示す位置は、磁気ヘッド３４及びキャリッジ６０が移動する際に可動紙案内８が移動の障害になりにくい位置である。なお、キャリッジ６０の形状や可動紙案内８のサイズによっては可動紙案内８を図７の位置まで回動させなくてもよい。
【００３２】
このように、図５に示す状態から図７に示す状態に遷移する過程で、磁気ヘッドガイド軸７０に対して上からブラシ８７が接触し、磁気ヘッドガイド軸７０に蓄積していた塵埃等の異物が掻き取られる。ブラシ８７は、可動紙案内８の回動中、弾性変形しながら磁気ヘッドガイド軸７０に接した状態を保ち、可動紙案内８が所定位置に達すると磁気ヘッドガイド軸７０から離脱して弾性によりもとの状態に復元する。この復元時に、ブラシ８７により掻き取られた異物は、ブラシ８７の弾性によって弾かれて下方に落ちる。
その後、磁気ヘッドユニット６が図３中Ｘ方向に移動して、記録媒体Ｓの磁気ストライプＭＳに対する処理が行われる。この処理中、記録媒体Ｓは、磁気ヘッド３４による磁気情報の読み書き時に浮き上がらないように、上からシート押え部３０によって押さえられる。この処理が終わると、磁気ヘッドユニット６は図３に示すホームポジションＨＰに戻り、可動紙案内８は図５に示す状態に復帰する。この復帰の過程では、ブラシ８７が磁気ヘッドガイド軸７０の下方から磁気ヘッドガイド軸７０に接触し、弾性変形し、磁気ヘッドガイド軸７０から離れる。この過程では磁気ヘッドガイド軸７０の下方に付着していた異物がブラシ８７により掻き取られる。ブラシ８７が一方向に異物を掻き落とす方法を用い、かつ、ブラシ８７の弾性を利用するので、比較的大きな異物や、磁気ヘッドガイド軸７０に付着した磁性体など、除去しにくい異物であっても、確実に除去できる。
【００３３】
さらに、キャリッジ６０には、前方シート案内２４の下方に突出部６５が形成されている。突出部６５は、キャリッジ６０に一体に突起を形成し、或いは突起をキャリッジ６０に接合したものであり。磁気ヘッドユニット６が走査される際には、突出部６５も符号Ｘ方向に往復移動する。
図７に示すように走査路７が開放された状態では、可動紙案内８は最大に回動した位置で停止している。突出部６５は、停止位置のブラシ８７と断面視で重なる位置にあり、図７に示す状態で磁気ヘッドユニット６が走査されると、突出部６５はブラシ８７に接触しながら走査される。これにより、ブラシ８７に付着した塵埃等の異物が、突出部６５に接触し、或いはブラシ８７が突出部６５に接して弾性変形することで、除去される。
【００３４】
図８は、磁気ヘッドユニット６及び可動紙案内８の構成を示す要部斜視図であり、可動紙案内８が回動して走査路７が開放されている状態を示す。
この図８に示すように、磁気ヘッドユニット６がホームポジションＨＰに位置している状態では、突出部６５はブラシ８７に接触していない。磁気ヘッドユニット６が走査されることで、突出部６５はブラシ８７に接触して移動する。ここで、突出部６５がブラシ８７に接する面には斜面６５Ａが形成されている。磁気ヘッドユニット６の移動時には、斜面６５Ａがブラシ８７に接触するので、ブラシ８７の弾性が磁気ヘッドユニット６の操作の抵抗になったり、ブラシ８７が突出部６５に当たって損傷したりしない構成となっている。また、ブラシ８７がスムーズに曲げられるため、ブラシ８７の毛の間に蓄積した異物を効率よく除去できる。
【００３５】
次に、ドットインパクトプリンター１の動作の概略を説明する。
通帳としての記録媒体Ｓが図１に示す手差口１５から挿入されると、この記録媒体Ｓは、第１駆動ローラー２２Ａ及び第１従動ローラー２２Ｂにより挟まれてプラテン２１の手前まで搬送される。この過程で、適宜、記録媒体Ｓの搬送方向の傾き（スキュー）を直す整列処理が行われる。この間、走査路７は可動紙案内８により塞がれていて、記録媒体Ｓは可動紙案内８の上を搬送される。
次いで、記録媒体Ｓは、この記録媒体Ｓの磁気ストライプＭＳが走査路７の上に重なる位置まで搬送される。その後、可動紙案内８が回動して走査路７が開口し、磁気ヘッドユニット６が上記磁気ヘッドガイド軸７０、７１に支持されてプリンター本体１１の長手方向（図中Ｘ方向）に移動することにより、この磁気ヘッドユニット６の磁気ヘッド３４が記録媒体Ｓの磁気ストライプＭＳから磁気情報を読み取る。
【００３６】
さらに、記録媒体Ｓがプラテン２１上の記録位置まで搬送されると、磁気ヘッドユニット６により読み取られた磁気情報に基づいて、記録ヘッド１８及びキャリッジ１９が上記主走査方向に移動する間に、記録媒体Ｓの記録面に文字や画像を記録する。この記録動作は、記録ヘッド１８が主走査方向を左向き又は右向きに走行される間に、記録ヘッド１８の記録ワイヤーにより１行分の記録がなされ、この１行分の記録がなされる度に、上記各ローラーが記録媒体Ｓを所定長（通常行間分）搬送させ、これらの動作が繰り返されることにより実施される。記録ヘッド１８による記録が終了すると、搬送方向が反転し、記録媒体Ｓは、手差口１５に向けて搬送される。磁気ストライプＭＳが走査路７に重なる位置まで、記録媒体Ｓが搬送されると、可動紙案内８が回動して走査路７が開放され、磁気ヘッドユニット６が上記長手方向に移動し、この磁気ヘッドユニット６の磁気ヘッド３４が、記録媒体Ｓへキャリッジ１９が記録した情報に基づいて、磁気ストライプＭＳに磁気情報を書き込む（記録する）。最後に、第１駆動ローラー２２Ａ及び第１従動ローラー２２Ｂによって記録媒体Ｓが手差口１５に向けて搬送され、手差口１５から排出される。
【００３７】
以上説明したように、本発明を適用した実施形態に係るドットインパクトプリンター１は、記録媒体Ｓの搬送路に面して設けられた走査路７内を移動する磁気ヘッド３４を備えたキャリッジ６０と、走査路７に開閉可能に取り付けられ、走査路７への記録媒体Ｓの進入を防ぐとともにキャリッジ６０が移動する際には開かれる可動紙案内８とを備え、可動紙案内８に、磁気ヘッドガイド軸７０等の他の部材に接して異物を除去するブラシ８７が設けられているため、可動紙案内８を開閉する動作により、ブラシ８７が他の部材に接して、紙粉等の塵埃を服宇各種の異物を除去できる。これのより、特別な動力源を新たに追加することなく、可動紙案内８の近傍にある部材に付着した塵埃等の異物を除去でき、ドットインパクトプリンター１のメンテナンスの頻度を低減させても安定した稼働が可能となる。
【００３８】
また、ドットインパクトプリンター１において、前方シート案内２４に形成された走査路７は、搬送路の底面を構成し、ドットインパクトプリンター１の設置状態において走査路７の下方には、キャリッジ６０と摺動してキャリッジ６０の移動を案内する磁気ヘッドガイド軸７０が設けられ、可動紙案内８を開く際に、可動紙案内８に設けられたブラシ８７が磁気ヘッドガイド軸７０に接するので、可動紙案内８を開閉するだけで、キャリッジ６０が移動する走査路７の下方に位置するキャリッジ６０の磁気ヘッドガイド軸７０に付着する塵埃を除去できる。
また、ブラシ８７は、可動紙案内８を開く際に磁気ヘッドガイド軸７０に接するので、磁気ヘッドユニット６を移動させる前に、毎回、磁気ヘッドガイド軸７０に蓄積している異物が除去される。このため、磁気ヘッドガイド軸７０に摺動する摺動部６２において、異物の過剰な蓄積や異物の噛み込みによる動作不良を起こすおそれがない。
【００３９】
また、可動紙案内８は、走査路７の長手方向に沿って設けられた回動軸８２を中心として回動可能であり、ブラシ８７は回動軸８２から離れた位置に立設されているので、走査路７の長手方向に沿ってブラシ８７を設けることができ、効率よく異物を除去できる。また、可動紙案内８が開閉される際にブラシ８７が大きく動くので、可動紙案内８から比較的離れている部材にもブラシ８７を接触させることができる。
さらに、キャリッジ６０は、走査路７内をキャリッジ６０が移動する間にブラシ８７に当接する突出部６５を備え、キャリッジ６０が移動することによって突出部６５がブラシ８７に当たって、ブラシ８７に付着した塵埃を除去できる。
【００４０】
なお、上記実施形態は本発明を適用した一態様を示すものであって、本発明は上記実施形態に限定されない。例えば、上記実施形態では、ドットインパクトプリンター１の前面に設けられた手差口１５から記録媒体Ｓを挿入し、この手差口１５から記録後の記録媒体Ｓを排出する構成を例に挙げて説明したが、背面に給紙口を設けて前面から排出してもよいし、その逆の構成としてもよい。また、可動紙案内８は、一方の側端部に嵌合部８３を設けて回動軸８２に固定し、この回動軸８２を中心として回動する構成としたが、可動紙案内８を回動させる構成は任意である。例えば、可動紙案内８の長手方向両端部、或いは可動紙案内８の下方に、可動紙案内８を回動可能に支持する機構を設けてもよいし、また、可動紙案内８がスライド可能に支持され、可動紙案内８のスライド時にブラシ８７が他の部材に接して異物を除去する構成としてもよい。さらに、平板部８０が記録媒体Ｓの搬送路にわずかな量しか突出しない形状として、爪部８１を廃してもよく、爪部８１を前方シート案内２４に形成してもよい。
さらに、磁気ヘッドユニット６を、ドットインパクトプリンター１の設置状態において記録媒体Ｓの搬送路の上面に位置する構成としてもよく、この場合、可動紙案内８は、磁気ヘッド３４の使用時に上方に回動して、ブラシ８７により他の部材から異物を除去する構成としてもよい。
【００４１】
また、磁気ヘッドユニット６に搭載された磁気ヘッド３４が移動する走査路７に、可動紙案内８を設け、この可動紙案内８にブラシ８７を設けた構成を例に挙げて説明したが、記録ヘッド１８や、その他の処理部を搭載したキャリッジが走査される構成において、その走査範囲を覆う可動紙案内８を設けた構成に、本発明を適用してもよい。例えば、記録手段としての記録ヘッド１８を搭載したキャリッジ１９に、本発明を適用してもよい。さらに、磁気ヘッドユニット６は、例えば磁気情報の読み取りのみを行うものであってもよい。また、記録媒体は冊子形態の通帳に限定されず、例えば、小切手等の帳票を用いてもよく、これらの帳票に記録された磁気インク文字（ＭＩＣＲ文字）を磁気ヘッド３４によって読み取る場合に、本発明を適用することも可能である。
【００４２】
また、上記実施形態においては、記録装置の一例として、インクジェットプリンターを例に挙げて説明したが、ドットインパクト式プリンター、サーマルヘッドによって感熱ロール紙に画像を記録するサーマルプリンター、熱昇華型プリンター等の各種プリンター、及び、これらのプリンターを機構部品として備えた他の電子機器に対しても本発明を適用可能である。
また、上記した爪部８１は、可動紙案内８と別体に設けても良いことは勿論である。
【符号の説明】
【００４３】
１…ドットインパクトプリンター（記録装置）、６…磁気ヘッドユニット、７…走査路（開口）、８…可動紙案内（可動部材）、１１…プリンター本体、１８…記録ヘッド、３４…磁気ヘッド（記録手段）、６０…キャリッジ、６５…突出部、７０…磁気ヘッドガイド軸（ガイド軸）、７１…磁気ヘッドガイド軸、８２…回動軸（軸）、８７…ブラシ（異物除去手段）、Ｓ…記録媒体、ＭＳ…磁気ストライプ。
【図１】
2013141786.tif 000003
【図２】
2013141786.tif 000004
【図３】
2013141786.tif 000005
【図４】
2013141786.tif 000006
【図５】
2013141786.tif 000007
【図６】
2013141786.tif 000008
【図７】
2013141786.tif 000009
【図８】
2013141786.tif 000010